(57)【要約】      （修正有）【課題】安全で簡便な操作によって正確な位置に穿孔でき、かつ寸法が小さくて軽量であり、携帯が容易な爪穿孔器を提供すること。【解決手段】第１貫通部と第２貫通部を備えた上板１０と、上板と結合されて第３貫通部を備えた下板２０と、第１貫通部に結合されるハンドル３０と、ハンドル３０下部に結合されて下板２０と接触される穿孔手段と、第２貫通部と第３貫通部に結合された弾性手段と、を含む。【選択図】図１
0003153613.tif 000002
【実用新案登録請求の範囲】
【請求項１】
第１貫通部と、第２貫通部と、中央下部に形成された上板突出部とを有する上板と、
第３貫通部と、中央上部に形成され、前記上板突出部と結合された下板突出部と、を有する下板と、
前記第１貫通部に結合されるハンドルと、
前記ハンドル下部に結合されて前記下板と接触する穿孔手段と、
前記第２貫通部及び前記第３貫通部に結合された弾性手段と、
を含むことを特徴とする、手足の爪穿孔器。
【請求項２】
前記ハンドル及び前記第１貫通部は、ヒンジ手段によって結合されたことを特徴とする、請求項１に記載の手足の爪穿孔器。
【請求項３】
前記ハンドルは、
下部に前記第１貫通部の断面の広さよりも大きく形成された固定あごと、
前記固定あごの下部に形成され、前記第１貫通部に挿入される結合部と、
前記結合部の下端にハンドルを前記ヒンジ手段によって固定するために、前記結合部よりも小さな大きさで形成されたヒンジ結合部と、
前記ヒンジ結合部の下端に形成され、前記穿孔手段が結合される穿孔手段装着部と、
を含むことを特徴とする、請求項１に記載の手足の爪穿孔器。
【請求項４】
前記弾性手段は、板スプリングで形成され、手足の爪を位置させるように、前記上板と下板とを加圧する際に弾性力によって前記下板と穿孔手段との間に空間が形成されるようにし、当該加圧を除去する際に復原力によって前記手足の爪を固定することを特徴とする、請求項１に記載の手足の爪穿孔器。
【請求項５】
前記穿孔手段は、ドリルで構成されたことを特徴とする、請求項１に記載の手足の爪穿孔器。
【請求項６】
前記上板の取手部の上端と下板の取手部の下端とに、すべり防止のために多数の突起が形成されたことを特徴とする、請求項１に記載の手足の爪穿孔器。
【請求項７】
前記下板は、
前記穿孔手段と接触される部位にドリルが挿入される溝と、
前記ハンドル下部と下板の間の間隔を維持するためのスペーサと、
を含むことを特徴とする、請求項１に記載の手足の爪穿孔器。
【考案の詳細な説明】
【技術分野】
【０００１】
本考案は、手足の爪穿孔器に関する。より詳細には、穿孔が必要な手足の爪を、上板及び下板を加圧して形成された空間に位置させて、前記上板と下板の加圧を除去して弾性手段の弾性復原力によってドリルと下板の間に固定し、前記固定された手足の爪上部のドリルを手動で回転して手足の爪を穿孔させることが可能な手足の爪穿孔器に関する。本考案は、例えば、手足の爪にアクセサリーを付着するために、手足の爪に穴を穿孔する際に用いられる。
【背景技術】
【０００２】
人体に付着するアクセサリーとしては、イヤリング、ブレスレット、指輪などが一般的である。また、最近では、手足の爪を利用して美を創造するネイルアートが普及してきており、手足の爪にイヤリングやピアッシングのような装身具を付着したいという要望が増加している。
【０００３】
上記のように、アクセサリーを手足の爪に付着するためには、手足の爪に穴を開けなければならない。そのためには、手足の爪に穴を開けるための手足の爪穿孔器が必要となる。
【０００４】
従来、手足の爪穿孔器としては、例えば、パンチングによって手足の爪を穿孔するパンチング型穿孔器やモーターで駆動される自動穿孔器が用いられてきた。しかし、従来のパンチング型穿孔器は、手足の爪を瞬間的に加圧して穿孔する方式であるため、硬質の爪がこわれてしまうという問題が生じていた。
【０００５】
また、従来の自動穿孔器は、手足の爪をドリル下部に位置させて押し板を加圧した状態でスイッチを作動させ、モーター駆動によってドリルが作動して手足の爪に穴を開ける方式を採用している。しかし、従来の自動穿孔器は、駆動モーターと電源を供給するためのバッテリが必ず装着されていなければならないため、穿孔器の寸法が大きくなるという問題もあった。
【０００６】
また、手足の爪の場合、ドリルを２〜３回程度回転させるだけで穿孔できてしまうため、駆動モーターを利用する必要はない。また、手足の爪の穿孔が終了するまで押し板を加圧した状態で維持しなければならない。そのため、利用者には不便が生じていた。
【考案の概要】
【考案が解決しようとする課題】
【０００７】
そこで、本考案は、上記問題に鑑みてなされたものであり、本考案の目的とするところは、簡便な操作によって手足の爪を安全に穿孔することが可能であり、さらに、寸法を小さくすることで携帯を容易にした、新規かつ改良された手足の爪穿孔器を提供することにある。
【課題を解決するための手段】
【０００８】
上記課題を解決するために、本考案のある観点によれば、第１貫通部と第２貫通部を備えた上板と、前記上板と結合されて第３貫通部を備えた下板と、前記第１貫通部に結合されるハンドルと、前記ハンドル下部に結合されて前記下板と接触される穿孔手段と、前記第２貫通部と第３貫通部に結合された弾性手段と、を含む手足の爪穿孔器が提供される。
【０００９】
ここで前記ハンドルと前記上板の第１貫通部はヒンジ手段により結合されていてもよい。そして、前記上板と下板は中央部に突出部を含んでいてもよく、前記上板は下部に突出部が形成されていてもよく、前記下板は上部に突出部が形成されていてもよく、前記突出部が接触されていてもよい。
【００１０】
また、前記ハンドルは、下部に前記第１貫通部断面の広さより大きく形成された固定あご、前記固定あごの下部に前記第１貫通部に挿入される結合部、前記結合部下端にハンドルをワッシャで固定するために前記結合部より小さく形成されたワッシャ結合部、及び前記ワッシャ結合部の下端に穿孔手段が結合される穿孔手段装着部を含んでいてもよい。
【００１１】
そして、前記弾性手段は板スプリングで形成されていてもよく、前記上板と下板を加圧する時に弾性力によって前記下板と穿孔手段の間に空間が形成され、手足の爪を位置させて加圧除去時に復原力によって前記上板と下板が元の位置に復帰しながら前記手足の爪を固定するように構成されていてもよい。
【００１２】
また、前記穿孔手段はドリルで構成されていてもよい。そして、前記上板の取手部の上端と下板の取手部の下端にすべり防止のために多数の突起が形成されていてもよい。また、前記下板は前記穿孔手段と接触される部位にドリルが挿入される溝と前記ハンドル下部と下板の間の間隔を維持するためのスペーサを含んでいてもよい。
【考案の効果】
【００１３】
以上説明したように本考案によれば、穿孔過程で爪がこわれる心配がなく、安全で簡便な操作によって正確な位置に穿孔でき、かつ、寸法が小さくて軽量であるために携帯が容易な手足の爪穿孔器が提供される。
【図面の簡単な説明】
【００１４】
【図１】本考案の一実施形態に係る手足の爪穿孔器の斜視図である。
【図２】図１に示す爪穿孔器の正面図である。
【図３ａ】図１に示す手足の爪穿孔器の上板詳細図面である。
【図３ｂ】図１に示す手足の爪穿孔器の上板詳細図面である。
【図４ａ】図１に示す手足の爪穿孔器の下板詳細図面である。
【図４ｂ】図１に示す手足の爪穿孔器の下板詳細図面である。
【図５ａ】図１に示す手足の爪穿孔器のハンドル詳細図面である。
【図５ｂ】図１に示す手足の爪穿孔器のハンドル詳細図面である。
【図６】図１に示す手足の爪穿孔器の分解斜視図である。
【考案を実施するための形態】
【００１５】
以下に添付図面を参照しながら、本考案の好適な実施の形態について詳細に説明する。なお、本明細書及び図面において、実質的に同一の機能構成を有する構成要素については、同一の符号を付することにより重複説明を省略する。
【００１６】
図１は、本考案の望ましい実施形態による手足の爪穿孔器の斜視図である。図２は、図１の正面図である。図３は、図１に示した手足の爪穿孔器の上板詳細図面である。図４は、図１に示した手足の爪穿孔器の下板詳細図面である。図５は、図１に示した手足の爪穿孔器のハンドル詳細図面である。図６は、図１に示した手足の爪穿孔器の分解斜視図である。
【００１７】
図１〜図６を参照すると、本考案による手足の爪穿孔器は、前端１１０に形成された第１貫通部１１１、及び中段１２０の上部に形成された第２貫通部１２１を備えた上板１０と、前記上板に結合されて中段２２０の下部に形成された第３貫通部２２１を備えた下板２０と、前記第１貫通部１１１に結合されるハンドル３０と前記ハンドル下部に結合されて前記下板と接触される穿孔手段４０と、前記第２貫通部１２１及び第３貫通部２２１に結合された弾性手段５０と、を含んで構成される。
【００１８】
ここで、前記ハンドル３０が前記上板の第１貫通部１１１を貫いた後に前記ハンドル３０が自由自在に回転するようヒンジ結合できる。このためにワッシャ６０により固定される。
【００１９】
図３を参照すると、前記上板１０は、前端１１０に前記穿孔手段４０が貫通結合されるように形成された第１貫通部１１１と、中段１２０の上部に弾性手段５０が結合形成された第２貫通部１２１と、後端に形成された取手部１３０とを含み、前記中段１２０の下部に逆三角形状で突出された突出部を含んで構成される。
【００２０】
図４を参照すると、前記下板２０は、前端２１０に形成された穿孔手段装着部と中段２２０下部に形成された第３貫通部２２１と後端に形成された取手部２３０とを含み、前記中段２２０の上部に三角形状で突出された突出部を含んで構成される。ここで、前記上板と下板は前記突出部が接触されるように結合され、前記突出部上には突起１２２、２２２及び溝１２３、２２３が形成され、上板突出部の突起１２２と接触される下板突出部には溝２２３が形成され、上板突出部の溝１２３と接触される下板突出部には突起２２２が形成され、前記突起が溝に挿入されて結合されるように構成できる。
【００２１】
図５を参照すると、前記ハンドルは下部に前記第１貫通部断面の広さより大きく形成された固定あご３１０と、前記固定あごの下部に前記第１貫通部に挿入される結合部３２０と、前記結合部下端にハンドルをワッシャ６０等のヒンジ手段で固定するために前記結合部より小さい大きさで形成されたヒンジ結合部３３０、及び穿孔手段４０が装着される穿孔手段装着部３４０を含んで構成される。
【００２２】
ここで、前記穿孔手段４０は、前記穿孔手段装着部３４０の下端中央に一体で固定結合されて、前記ハンドルの回転と同様に回転するように作用する。
【００２３】
前記ハンドルの結合部３２０が前記上板の第１貫通部１１１に結合されると前記ハンドルの固定あご３１０の下部が前記上板の第１貫通部１１１の周辺上部に接触されて固定され、前記第１貫通部１１１を貫いたヒンジ結合部にワッシャ６０が結合される。
【００２４】
ここで、前記ワッシャ６０は前記ハンドル３０が上板に結合されて、使用者の操作によって自由自在に回転できるヒンジの役割を遂行する。ここではワッシャ６０を用いた実施形態についてだけ図面に示したが、それ以外にもヒンジ結合できる手段はいずれも用いることができる。
【００２５】
そして、前記ハンドル穿孔手段結合部３４０には手足の爪を穿孔する穿孔手段４０が装着される。ここで、前記穿孔手段４０は手足の爪を穿孔できる手段はいずれも可能であるが、硬質の爪が瞬間的な加圧によってこわれることを防止するためにドリルで構成するのが望ましい。
【００２６】
前記穿孔手段４０は前記下板の前端２１０に接触され、前記穿孔手段と接触される下板前端２１０に前記穿孔手段が挿入される溝２１１と、前記ハンドル下部と下板の間の間隔を維持するためのスペーサ２１２とを含んで構成できる。
【００２７】
ここで、前記スペーサ２１２は穿孔される手足の爪の端部が側面に接触されるため、前記穿孔手段４０と前記スペーサ２１２の間隔によって手足の爪の穿孔位置を調節する手段として用いることができる。そのために前記スペーサ２１２は下板上で前後移動ができるように構成される。
【００２８】
また、前記第２貫通部１２１と第３貫通部２２１の間には弾性手段５０が結合される。ここで前記弾性手段５０は弾性力と復原力を提供できる弾性部材はいずれも用いられるため、本実施形態では、一例として板スプリングが使われた。
【００２９】
前記弾性手段５０は上板１０と下板２０が現在位置を維持するように弾性力が付加されるため、前記上板と下板の取手部１３０、２３０を加圧する時に弾性力によって前記下板２０と穿孔手段４０の間に空間が形成されて、手足の爪を位置させて加圧を除去時に復原力によって、前記手足の爪が穿孔手段と下板の間に固く固定される。
【００３０】
ここで、前記上板と下板加圧時に摩擦力を高めてすべりを防止するために上板の上部と下板の下部に多数の突起１３１、２３１が形成される。
【００３１】
以下、前記のように構成される本考案による手足の爪穿孔器の作用について説明する。
【００３２】
まず、上板と下板の取手部１３０、２３０を互いに接触される方向に加圧すると、下板の溝２１１に挿入された穿孔手段４０と下板２０の間に空間が形成されて、前記空間の間に穿孔する手足の爪を位置させる。
【００３３】
続いて、前記加圧を除去すれば弾性手段５０の復原力によって前記位置された手足の爪が固定される。したがって、正確な位置に手足の爪を穿孔することができる。
【００３４】
そして、ハンドルを回せば、ハンドル下部に形成された穿孔手段４０が回転しながら手足の爪に穴が穿孔される。
【００３５】
以上、添付図面を参照しながら本考案の好適な実施形態について説明したが、本考案は係る例に限定されないことは言うまでもない。当業者であれば、実用新案請求の範囲に記載された範疇内において、各種の変更例または修正例に想到し得ることは明らかであり、それらについても当然に本考案の技術的範囲に属するものと了解される。
【符号の説明】
【００３６】
１０    上板
１１１    第１貫通部
１２１    第２貫通部
２０    下板
２２１    第３貫通部
３０    ハンドル
４０    穿孔手段
５０    弾性手段
６０    ワッシャ
【図１】
0003153613.tif 000003
【図２】
0003153613.tif 000004
【図３ａ】
0003153613.tif 000005
【図３ｂ】
0003153613.tif 000006
【図４ａ】
0003153613.tif 000007
【図４ｂ】
0003153613.tif 000008
【図５ａ】
0003153613.tif 000009
【図５ｂ】
0003153613.tif 000010
【図６】
0003153613.tif 000011